(57)【要約】  この発明は、ノッキングの発生を抑制すると共に、燃焼の安定性を高めることのできる筒内噴射式内燃機関を提供することを目的とする。  内燃機関に流入する吸気を過給する過給機と、前記内燃機関の燃焼室内に直接燃料を噴射する燃料噴射弁とを備える。排気行程において排気バルブと吸気バルブとを開いた後、吸気上死点よりも進角したタイミングで前記吸気バルブと前記排気バルブとを閉じ、吸気行程において吸気上死点よりも遅角したタイミングで前記吸気バルブを開く。前記吸気上死点から前記遅角したタイミングまでの間に、前記燃料噴射弁に燃料を噴射させる。
2012090320.tif 000002
【特許請求の範囲】
【請求項１】
内燃機関に流入する吸気を過給する過給機と、
前記内燃機関の燃焼室内に直接燃料を噴射する燃料噴射弁と、
排気行程において排気バルブと吸気バルブとを開いた後、吸気上死点よりも進角したタイミングで前記吸気バルブと前記排気バルブとを閉じ、吸気行程において前記吸気上死点よりも遅角したタイミングで前記吸気バルブを開くバルブ制御手段と、
前記吸気上死点から前記遅角したタイミングまでの間に、前記燃料噴射弁に燃料を噴射させる噴射制御手段と、
を備えることを特徴とする筒内噴射式内燃機関。
【請求項２】
前記進角したタイミングと前記遅角したタイミングとにおける前記燃焼室の体積は同じであること、を特徴とする請求項１記載の筒内噴射式内燃機関。
【請求項３】
前記内燃機関はリーンバーンエンジンであること、を特徴とする請求項１又は２記載の筒内噴射式内燃機関。
【請求項４】
前記燃焼室上面の中央部に配置された点火プラグと、
前記燃焼室を形成する気筒の内周に沿って吸気を流入させて、前記気筒の中央部に燃料の層を、前記気筒の内周部に空気の層を分布させる成層燃料分布形成手段と、
を備えることを特徴とする請求項１乃至３のいずれか１項記載の筒内噴射式内燃機関。
【請求項５】
前記噴射制御手段は、前記吸気上死点から前記遅角したタイミングまでの間に、複数回に分けて、前記燃料噴射弁に燃料を噴射させること、
を特徴とする請求項１乃至４のいずれか１項記載の筒内噴射式内燃機関。
【請求項６】
前記バルブ制御手段は、
前記吸気バルブの閉じ時期と前記排気バルブの閉じ時期とを相対的に変更可能とする可変動弁手段と、
前記内燃機関の運転領域が低負荷領域である場合に、前記可変動弁手段により前記排気行程における前記吸気バルブの閉じ時期を前記排気バルブの閉じ時期よりも早い時期に制御する低負荷時バルブ制御手段と、
を更に備えることを特徴とする請求項１乃至４のいずれか１項記載の筒内噴射式内燃機関。
【請求項７】
前記噴射制御手段は、
前記内燃機関の運転領域が前記低負荷領域である場合に、前記進角したタイミングから前記遅角したタイミングまでの間に、複数回に分けて、前記燃料噴射弁に燃料を噴射させ、少なくとも前記進角したタイミングから前記吸気上死点までの間に、１回目の燃料を噴射させる低負荷時噴射制御手段、
を更に備えることを特徴とする請求項６記載の筒内噴射式内燃機関。
【請求項８】
前記過給機は、ターボ過給機であって、
前記排気バルブを構成する第１排気バルブ及び第２排気バルブと、
前記第１排気バルブを開くことにより前記燃焼室と連通する第１排気ポートと、
前記第２排気バルブを開くことにより前記燃焼室と連通する第２排気ポートと、
前記第１排気ポートの下流に設けられた前記ターボ過給機のタービンと、を更に備え、
前記バルブ制御手段は、
前記排気行程において前記第１排気バルブを開閉した後に、前記吸気バルブと前記第２排気バルブとを開き、前記第２排気バルブを閉じた後に、吸気上死点よりも進角したタイミングで前記吸気バルブを閉じ、吸気行程において吸気上死点よりも遅角したタイミングで前記吸気バルブを開くこと、
を特徴とする請求項１乃至５のいずれか１項記載の筒内噴射式内燃機関。
【発明の詳細な説明】
【技術分野】
【０００１】
この発明は、筒内に燃料を直接噴射する筒内噴射式内燃機関に関する。
【背景技術】
【０００２】
従来、例えば特許文献１（特開２００４−１７６６０７号公報）に開示されるように、気筒内に燃料を直接噴射する燃料噴射弁を備えた内燃機関が知られている。また、特許文献１には、エンジンの冷態始動時に、排気行程において吸気バルブ及び排気バルブを共に閉じて燃焼室を密閉し、密閉中に燃焼室内に燃料を噴射すると共に、吸気上死点（排気上死点）直後に吸気バルブを開く技術が開示されている。このような技術によれば、筒内圧が最も上昇した吸気上死点直後に吸気バルブを開くため、圧縮されて昇温した燃焼室内の残留ガスは、吸気口からいったん燃焼室の外部に吹き出される。その後、ピストンの上死点からの下降による十分な負圧により燃焼室内に吹き戻され、新気と共に燃焼室内に再度流入し、噴射燃料との混合が促進される。
【先行技術文献】
【特許文献】
【０００３】
【特許文献１】特開２００４−１７６６０７号公報
【発明の概要】
【発明が解決しようとする課題】
【０００４】
しかしながら、上記従来の内燃機関では、高温の残留ガス中に燃料を噴射するため、ノッキングの発生が顕在化するおそれがある。また、上記従来の内燃機関では、密閉中の燃焼室内に燃料を噴射し、吸気上死点直後に吸気バルブを開くため、吸気上死点前に燃料を噴射する必要がある。吸気上死点前は気筒内に未だ大きな気流が生じており、かつ、気筒内の気流はサイクル間で変動する。そのため、吸気上死点前に燃料を噴射すれば、サイクル間で噴霧状態に大きなばらつきが生じる。噴霧状態に大きなばらつきが生じれば、気筒の内壁等に付着する燃料量にばらつきが生じる。付着する燃料量にばらつきが生じれば、燃焼の安定性が低下することとなる。【０００５】
この発明は、上述のような課題を解決するためになされたもので、ノッキングの発生を抑制すると共に、燃焼の安定性を高めることのできる筒内噴射式内燃機関を提供することを目的とする。
【課題を解決するための手段】
【０００６】
第１の発明は、上記の目的を達成するため、筒内噴射式内燃機関であって、
内燃機関に流入する吸気を過給する過給機と、
前記内燃機関の燃焼室内に直接燃料を噴射する燃料噴射弁と、
排気行程において排気バルブと吸気バルブとを開いた後、吸気上死点よりも進角したタイミングで前記吸気バルブと前記排気バルブとを閉じ、吸気行程において前記吸気上死点よりも遅角したタイミングで前記吸気バルブを開くバルブ制御手段と、
前記吸気上死点から前記遅角したタイミングまでの間に、前記燃料噴射弁に燃料を噴射させる噴射制御手段と、を備えることを特徴とする。【０００７】
また、第２の発明は、第１の発明において、
前記進角したタイミングと前記遅角したタイミングとにおける前記燃焼室の体積は同じであること、を特徴とする。【０００８】
また、第３の発明は、第１又は第２の発明において、
前記内燃機関はリーンバーンエンジンであること、を特徴とする。【０００９】
また、第４の発明は、第１乃至第３の発明のいずれかにおいて、
前記燃焼室上面の中央部に配置された点火プラグと、
前記燃焼室を形成する気筒の内周に沿って吸気を流入させて、前記気筒の中央部に燃料の層を、前記気筒の内周部に空気の層を分布させる成層燃料分布形成手段と、
を備えることを特徴とする。【００１０】
また、第５の発明は、第１乃至第４の発明のいずれかにおいて、
前記噴射制御手段は、前記吸気上死点から前記遅角したタイミングまでの間に、複数回に分けて、前記燃料噴射弁に燃料を噴射させること、を特徴とする。【００１１】
また、第６の発明は、第１乃至第４の発明のいずれかにおいて、
前記バルブ制御手段は、
前記吸気バルブの閉じ時期と前記排気バルブの閉じ時期とを相対的に変更可能とする可変動弁手段と、
前記内燃機関の運転領域が低負荷領域である場合に、前記可変動弁手段により前記排気行程における前記吸気バルブの閉じ時期を前記排気バルブの閉じ時期よりも早い時期に制御する低負荷時バルブ制御手段と、を更に備えることを特徴とする。【００１２】
また、第７の発明は、第６の発明において、
前記噴射制御手段は、
前記内燃機関の運転領域が前記低負荷領域である場合に、前記進角したタイミングから前記遅角したタイミングまでの間に、複数回に分けて、前記燃料噴射弁に燃料を噴射させ、少なくとも前記進角したタイミングから前記吸気上死点までの間に、１回目の燃料を噴射させる低負荷時噴射制御手段、を更に備えることを特徴とする。【００１３】
また、第８の発明は、第１乃至第５の発明のいずれかにおいて、
前記過給機は、ターボ過給機であって、
前記排気バルブを構成する第１排気バルブ及び第２排気バルブと、
前記第１排気バルブを開くことにより前記燃焼室と連通する第１排気ポートと、
前記第２排気バルブを開くことにより前記燃焼室と連通する第２排気ポートと、
前記第１排気ポートの下流に設けられた前記ターボ過給機のタービンと、を更に備え、
前記バルブ制御手段は、
前記排気行程において前記第１排気バルブを開閉した後に、前記吸気バルブと前記第２排気バルブとを開き、前記第２排気バルブを閉じた後に、吸気上死点よりも進角したタイミングで前記吸気バルブを閉じ、吸気行程において吸気上死点よりも遅角したタイミングで前記吸気バルブを開くこと、を特徴とする。
【発明の効果】
【００１４】
第１の発明によれば、排気行程において排気バルブと吸気バルブとを開くことができる。そのため、過給により新気を燃焼室に導入し、高温の残留ガスを掃気することができる。これにより、ノッキングの発生を抑制することができる。また、第１の発明によれば、排気行程において排気バルブと吸気バルブとを開いた後、吸気上死点よりも進角したタイミングで吸気バルブと排気バルブとを閉じることができる。そのため、ピストンの上昇により、燃焼室内の気流を圧縮しその流れを無くすことができる。さらに、第１の発明によれば、吸気上死点よりも遅角したタイミングであって、吸気バルブを開くまでの間に、燃焼室内に燃料を噴射することができる。気流が無い状態で燃料が噴射されることで、サイクル間の噴霧状態のばらつきを低減することができる。その結果、燃焼の安定性を高めることができる。よって、本発明によれば、ノッキングの発生を抑制すると共に、燃焼の安定性を高めることができる。【００１５】
第２の発明によれば、吸気上死点よりも進角したタイミングと吸気上死点よりも遅角したタイミングとにおける燃焼室を同体積とすることができる。同体積とすることで、圧縮や膨張による仕事損失を防ぐことができる。【００１６】
第３の発明によれば、上述した第１及び第２の発明により、燃焼の安定性を高めることができるため、リーン領域の拡大を図ることができる。リーン領域の拡大を図ることにより、燃費改善とＮＯｘ低減を実現することができる。【００１７】
第４の発明によれば、気筒の中央部に燃料の層を、気筒の内周部に空気の層を分布させた成層燃料分布が形成される。また、第１の発明の効果により、噴霧の分布変動が少ないため、点火プラグ近傍に変動の少ない安定した混合気を形成することができる。よって、本発明によれば、燃焼の安定性を高めることができ、リーン領域の拡大を図ることができる。【００１８】
第５の発明によれば、吸気上死点から遅角したタイミングまでの間に、複数回に分けて、前記燃料噴射弁に燃料を噴射させることができる。各回の燃料噴射は、燃焼室内の温度・圧力が異なる時期において行われ、噴霧の貫徹力が異なるため、混合気形成位置を制御することができる。このため、本発明によれば、均質な混合気を生成し、混合気の不均質が原因となるＮＯｘを低減させることができる。【００１９】
第６の発明によれば、運転領域が低負荷領域である場合に、排気行程における吸気バルブの閉じ時期を排気バルブの閉じ時期よりも早い時期に制御することができる。そのため、ノッキングが発生し難い低負荷領域において、不活性である残留ガスを多く入れることができる。このため、本発明によれば、ＮＯｘを低減することができる。【００２０】
第７の発明によれば、運転領域が低負荷領域である場合に、複数回に分けて燃料を噴射し、少なくとも吸気上死点よりも進角したタイミングから吸気上死点までの間に、１回目の燃料噴射を行うことができる。そのため、１回目の燃料噴射は、吸気上死点より前の高温の残留ガス内に行われ、燃料改質効果が得られる。このため、本発明によれば、元来温度が低く燃焼が不安定な低負荷領域において、より燃焼の安定性を高めることができる。【００２１】
第８の発明によれば、排気行程において第１排気バルブを開閉した後に、吸気バルブと第２排気バルブとを開き、第２排気バルブを閉じた後に、吸気上死点よりも進角したタイミングで吸気バルブを閉じることができる。燃焼室内の未燃ＨＣは、吸気ポート４２に吹き出された後、再び燃焼室２０内に吹き戻される。そのため、未燃ＨＣを再び燃焼させることができる。このため、本発明によれば、エミッション改善と燃費改善を実現することができる。
【図面の簡単な説明】
【００２２】
【図１】本発明の実施の形態１に係るシステム構成を説明するための図である。
【図２】燃焼に対する筒内燃料量の感度を示す図である。
【図３】吸気流のサイクル間変動について説明するための図である。
【図４】本発明の実施の形態１について、排気行程及び吸気行程における吸気バルブ４４及び排気バルブ４８の開閉時期と、燃料噴射時期とを説明するための図である。
【図５】本発明の実施の形態２に係るシステムの吸気ポート４２周辺の構成を説明するための上面図である。
【図６】本発明の実施の形態３について、排気行程及び吸気行程における吸気バルブ４４及び排気バルブ４８の開閉時期と、燃料噴射時期とを説明するための図である。
【図７】本発明の実施の形態５について、排気行程及び吸気行程における吸気バルブ４４及び排気バルブ４８の開閉時期と、燃料噴射時期とを説明するための図である。
【図８】本発明の実施の形態６に係るシステムが有する過給機３４、吸気バルブ４４、排気バルブ４８について説明するための図である。
【図９】本発明の実施の形態６について、排気行程及び吸気行程における吸気バルブ４４及び排気バルブ４８の開閉時期と、燃料噴射時期とを説明するための図である。
【発明を実施するための形態】
【００２３】
以下、図面を参照して本発明の実施の形態について詳細に説明する。尚、各図において共通する要素には、同一の符号を付して重複する説明を省略する。
【００２４】
実施の形態１．
［実施の形態１のシステム構成］
図１は、本発明の実施の形態１に係るシステム構成を説明するための図である。図１に示すシステムは、４ストローク機関である筒内噴射式の内燃機関１０を備えている。また、内燃機関１０は、リーンバーンエンジンである。内燃機関１０は図示しない複数の気筒１２を有している。気筒１２には、その内部を往復運動するピストン１４が設けられている。ピストン１４の往復運動は、クランク軸の回転運動に変換される。クランク軸の近傍には、クランク軸の回転角（クランク角）を検出するためのクランク角センサ１６が設けられている。
【００２５】
内燃機関１０は、シリンダヘッド１８を備えている。シリンダヘッド１８の下面と気筒１２の内壁（シリンダライナ１９）とピストン１４の冠面との間には、燃焼室２０が形成されている。燃焼室２０には、吸気通路２２および排気通路２４が接続されている。シリンダヘッド１８には、燃焼室２０の中央部に向けて直接燃料を噴射するための燃料噴射弁２６が設けられている。シリンダヘッド１８には、燃焼室２０上面の中央部に点火プラグ２８が設けられている。
【００２６】
吸気通路２２には、エアクリーナ３０が設けられている。エアクリーナ３０の下流には、吸入空気量を検出するためのエアフローメータ３２が設けられている。エアフローメータ３２の下流には、過給を行うための過給機３４が設けられている。過給機３４は、電動又は前述のクランク軸の回転を利用することにより駆動して過給を行う。なお、過給機３４は、排気ガスのエネルギーによって回転するタービンと、このタービンに駆動されて回転するコンプレッサとを有するターボチャージャであって、このコンプレッサにより過給を行うものであってもよい。
【００２７】
過給機３４の下流には、インタークーラ３６が設けられている。インタークーラ３６の下流には、電子制御式のスロットルバルブ３８が設けられている。スロットルバルブ３８の近傍には、スロットル開度を検出するためのスロットル開度センサ４０が設けられている。スロットルバルブ３８の下流には、燃焼室２０に接続する吸気ポート４２がシリンダヘッド１８内に形成されている。吸気通路２２は、吸気ポート４２を含む概念である。吸気通路２２の下流端には、吸気ポート４２と燃焼室２０との間を開閉する吸気バルブ４４が設けられている。
【００２８】
また、排気通路２４の上流端には、燃焼室２０と排気ポート４６との間を開閉する排気バルブ４８が設けられている。排気ポート４６は、シリンダヘッド１８内に形成されている。排気通路２４は、排気ポート４６を含む概念である。
【００２９】
本実施形態のシステムは、ＥＣＵ（Electronic Control Unit）５０を備えている。ＥＣＵ５０の入力部には、前述のクランク角センサ１６、エアフローメータ３２、スロットル開度センサ４０等の各種センサが接続されている。また、ＥＣＵ５０の出力部には、前述の燃料噴射弁２６、点火プラグ２８、スロットルバルブ３８等の各種アクチュエータが接続されている。ＥＣＵ５０は、各種センサからの入力情報に基づいて所定のプログラムを実行し、各種アクチュエータを作動させることにより、内燃機関１０の運転状態を制御する。
【００３０】
［実施の形態１における特徴的構成］
次に、本実施形態のシステムの特徴的構成について図２〜図４を用いて説明する。図２は、燃焼に対する筒内燃料量の感度を示す図である。図１に示すように、リーンバーン時（例えば、空燃比２０．０）は、ストイキ時（例えば、空燃比１４．５）に比して、燃焼に対する筒内燃料量の感度が高い。リーンバーン時には、燃焼限界付近で運転するため、リーン限界の拡大を図るためには、燃焼を安定させることが求められる。
【００３１】
図３は、吸気流のサイクル間変動について説明するための図である。図３に示すように、サイクル間で気筒１２内の吸気流は変動する。気筒１２内に流入する吸気中に噴射される燃料噴霧は、吸気流の影響を受ける。そのため、気筒１２の内壁等に付着する燃料量はサイクル毎に変動する。また、サイクル間で燃料噴霧が不均質となり、その分布が変動する。その結果、サイクル間で燃焼が変動し不安定になる。
【００３２】
さらに、内燃機関１０のような筒内噴射式のリーンバーンエンジンでは、燃焼が不安定になると、リーン限界の拡大が妨げられる。
【００３３】
そこで、本実施形態のシステムでは、吸気流のサイクル間変動による気筒１２の内壁等に付着する燃料量の変動、及び分布の変動を無くし、燃焼の安定性を高めることとした。
【００３４】
具体的な本実施形態の特徴的構成について図４を用いて説明する。図４は、本発明の実施の形態１について、排気行程及び吸気行程における吸気バルブ４４及び排気バルブ４８の開閉時期と、燃料噴射時期とを説明するための図である。
【００３５】
（吸気バルブ４４及び排気バルブ４８の開閉時期）
本実施形態のシステムでは、図４に示すように、排気下死点近傍の時期ＣＡ１０において排気バルブ４８が開かれる。ＣＡ１０後のＣＡ１１において吸気バルブ４４が開かれる。ＣＡ１１後の吸気上死点（排気上死点）よりも進角したタイミングＣＡ１２において排気バルブ４８と吸気バルブ４４とが共に閉じられる。さらに、吸気上死点よりも遅角したタイミングＣＡ１３において吸気バルブ４４が開かれる。なお、ＣＡ１２とＣＡ１３とは、それぞれのクランク角における燃焼室２０の体積が同じとなるように設定されている。同体積とすることで、圧縮や膨張による仕事損失を防ぐことができる。
【００３６】
本実施形態のシステムには、上述の各タイミングで吸気バルブ４４、排気バルブ４８をそれぞれ開閉するための動弁機構６０、６２が設けられている（図１）。吸気側の動弁機構６０は、通常のカムの他に、排気行程と吸気行程とで吸気バルブ４４を２回開くための２つのリフト部を有するカムを備えている。動弁機構６０は、ＥＣＵ５０の出力部に接続され、ＥＣＵ５０からの制御信号に応じて、通常のカムと、２つのリフト部を有するカムとを切り替えることができる。また、排気側の動弁機構６２は、ＥＣＵ５０の出力部に接続され、ＥＣＵ５０からの制御信号に応じて、排気バルブ４８のバルブタイミングを変更することができる。ＥＣＵ５０は、例えば、高負荷領域において、図４に示すバルブタイミングを実現するための制御信号を動弁機構６０、６２に出力する。
【００３７】
なお、運転領域は、エンジン回転数と負荷とにより定まる。エンジン回転数は、クランク角センサの検出値に基づいて算出することができる。負荷は、例えばエンジン回転数とスロットル開度に基づいて算出することができる。
【００３８】
（燃料噴射時期）
また、本実施形態のシステムでは、吸気上死点から吸気バルブ４４を開くタイミングＣＡ１３までの間に、燃焼室２０内に燃料が噴射される。詳細には、吸気上死点後に燃料噴射が開始され、ＣＡ１３直前に燃料噴射が完了される。ＥＣＵ５０は、ＣＡ１３直前に燃料噴射が完了されるように燃料噴射弁２６に制御信号を出力する。
【００３９】
（作用・効果）
上述した本実施形態のシステムによれば、排気工程において、ＣＡ１１からＣＡ１２までの間、排気バルブ４８と吸気バルブ４４とが開かれることにより、新気を過給して燃焼室２０に導入し、高温の残留ガスを掃気することができる。これにより、ノッキングの発生を抑制することができる。
【００４０】
また、ＣＡ１２において排気バルブ４８と吸気バルブ４４とが閉じられてから吸気上死点までの間、ピストン１４による圧縮で燃焼室２０の体積が小さくなる。これにより、燃焼室２０内の気流を圧縮し、その流れを無くすことができる。そして、吸気バルブ４４を開くタイミングＣＡ１３より前の気流が無い状態で燃料が噴射される。これにより、サイクル間の噴霧形状の変動を低減することができる。そのため、気筒１２の内壁等に付着する燃料量の変動の低減と、噴霧の分布変動の低減とを実現することができる。
【００４１】
また、本実施形態のシステムによれば、吸気上死点から吸気バルブ４４を開くタイミングＣＡ１３までの間に燃料が噴射される。筒内圧力と温度が高い時期に燃料噴射を行うことにより、噴霧の貫徹力低減と気化促進とを図ることができる。これにより、筒内燃料量の変動要因である気筒１２の内壁等への燃料付着を低減することができる。加えて、燃料噴射の完了時期を、吸気バルブ４４を開くタイミングＣＡ１３直前とすることで、高負荷領域におけるノッキングの発生を好適に抑制することができる。
【００４２】
このように、本実施形態のシステムによれば、気筒１２の内壁等への燃料付着量の低減、燃料付着量の変動の低減、及び、噴霧の分布変動の低減を実現することができる。そのため、燃焼の安定性を高めることができ、リーン領域の拡大を図ることができる。リーン領域の拡大を図ることにより、燃費改善とＮＯｘ低減を実現することができる。
【００４３】
ところで、上述した実施の形態１のシステムにおいては、図４に示すバルブタイミングを実現するための制御信号を、高負荷領域においてＥＣＵ５０が出力することとしているが、この制御信号を出力する運転領域は、高負荷領域に限定されるものではない。この運転領域は、高負荷領域以外であってもよい。
【００４４】
尚、上述した実施の形態１においては、過給機３４が前記第１の発明における「過給機」に、燃料噴射弁２６が前記第１の発明における「燃料噴射弁」に、動弁機構６０、６２及びＥＣＵ５０が前記第１の発明における「バルブ制御手段」に、ＥＣＵ５０が前記第１の発明における「噴射制御手段」に、内燃機関１０が前記第３の発明における「リーンバーンエンジン」に、それぞれ相当している。また、ここでは、ＣＡ１２が前記第１又は第２の発明における「進角したタイミング」に、ＣＡ１３が前記第１又は第２の発明における「遅角したタイミング」に、それぞれ対応している。
【００４５】
実施の形態２．
次に、図５を参照して本発明の実施の形態２について説明する。本実施形態のシステムは、図５で説明する構成を備えている点を除き、実施の形態１で述べた構成と同様である。
【００４６】
［実施の形態２における特徴的構成］
図５は、本実施形態のシステムにおける吸気ポート４２周辺の構成を説明するための上面図である。図５に示すように、吸気バルブ４４は、２つの吸気バルブ４４ａ、４４ｂからなる。吸気ポート４２は、吸気バルブ４４ａを開くことにより燃焼室２０と連通する吸気ポート４２ａと、吸気バルブ４４ｂを開くことにより燃焼室２０と連通する吸気ポート４２ｂとからなる。本実施形態における吸気ポート４２ａには、縦に隔壁が設けられており、吸気ポート４２ａは、２つの通路４２ａ１、４２ａ２に区画されている。通路４２ａ１を通過する吸気は、気筒１２の内周面に沿って流れ込む。一方、通路４２ａ２を通過する吸気は、気筒１２の中央部に流れ込む。通路４２ａ２には、通路４２ａ２を開閉するための吸気制御弁６４が設けられている。吸気制御弁６４は、ＥＣＵ５０の出力側に接続されている。
【００４７】
また、本実施形態のシステムにおける動弁機構６０は、カムの回転力が吸気バルブ４４ａ及び４４ｂに伝達される状態と、吸気バルブ４４ａにのみ伝達される状態とを切り替えることができる可変動弁機構である。ＥＣＵ５０は、例えば、運転領域が高負荷領域以外である場合において、動弁機構６０に、カムの回転力が吸気バルブ４４ａにのみに伝達される状態とするための制御信号を出力する。その結果、吸気バルブ４４ｂが閉じられた状態で、吸気バルブ４４ａが開閉される。
【００４８】
これに加えて、ＥＣＵ５０は、吸気制御弁６４に、通路４２ａ２を閉塞するための制御信号を出力する。その結果、吸気制御弁６４により通路４２ａ２が閉塞される。通路４２ａ２が閉塞されることにより、吸気は、気筒１２の中央部には流れ込まないで、通路４２ａ１を通って気筒１２の内周部に流れ込む。その結果、気筒１２の内周面（内壁）に沿ったスワール流が形成される。
【００４９】
上述した本実施形態のシステムによれば、気筒１２の中心部に燃料の層を、気筒１２の内周部に空気の層を分布させた成層燃料分布が形成される。また、実施の形態１と同様に、噴霧の分布変動が少ないため、点火プラグ２８近傍に変動の少ない安定した混合気が形成される。そのため、燃焼の安定性を高めることができ、リーン領域の拡大を図ることができる。
【００５０】
尚、上述した実施の形態２においては、点火プラグ２８が前記第４の発明における「点火プラグ」に、吸気ポート４２、吸気バルブ４４、動弁機構６０、吸気制御弁６４及びＥＣＵ５０が前記第４の発明における「成層燃料分布形成手段」に、それぞれ相当している。
【００５１】
実施の形態３．
次に、図６を参照して本発明の実施の形態３について説明する。本実施形態のシステムは、図６で説明する構成を備えている点を除き、実施の形態１で述べた構成と同様である。
【００５２】
［実施の形態３における特徴的構成］
図６は、本発明の実施の形態３について、排気行程及び吸気行程における吸気バルブ４４及び排気バルブ４８の開閉時期と、燃料噴射時期とを説明するための図である。図６に示す構成は、燃料噴射時期が異なる点を除き、図４に示す構成と同様である。そのため、排気行程及び吸気行程における吸気バルブ４４及び排気バルブ４８の開閉時期については、同一の符号を付してその説明を省略または簡略する。
【００５３】
本実施形態のシステムでは、図６に示すように、吸気上死点から吸気バルブ４４を開くタイミングＣＡ１３までの間に、燃焼室２０内に２回に分けて燃料が噴射される。ＥＣＵ５０は、まず、運転状態に応じた現サイクルの総燃料噴射量を、予めＥＣＵ５０に記憶されたマップ等に基づいて算出する。次に、ＥＣＵ５０は、総燃料噴射量を規定の燃料噴射割合で２回に分割して噴射する。具体的には、ＥＣＵ５０は、ＣＡ１３直前までに２回の燃料噴射が完了するように燃料噴射弁２６に制御信号を出力する。上述の規定の燃料噴射割合は、実験やシミュレーションに基づいて予め定められ、ＥＣＵ５０に記憶されている。
【００５４】
１回目及び２回目の燃料噴射は、それぞれ、燃焼室２０内の温度・圧力が異なる時期において行われる。すなわち、１回目の燃料噴射は、２回目の燃料噴射に比して高温・高圧の燃焼室２０内で行われる。そのため、１回目の燃料噴射は、２回目の燃料噴射に比して噴霧の貫徹力が低くなる。噴霧の貫徹力が異なることを利用して、混合気形成位置を制御することができる。また、１回目の燃料噴射によって燃料の一部が燃焼状態となることで、２回目の燃料噴射による燃焼の安定性を高めることができる。これは、特に低負荷領域において好適である。
【００５５】
また、ＥＣＵ５０は、低負荷領域や高回転領域において、１回目の燃料噴射割合を規定値（例えば、２回目の燃料噴射割合）よりも高く設定することとしてもよい。低負荷領域では、より高温・高圧の筒内に多くの燃料を噴射することができ、燃焼の安定性を高めることができる。また、高回転領域では、より長い気化時間を確保することができ、燃焼の安定性を高めることができる。
【００５６】
このように、本実施形態のシステムによれば、混合気形成位置を制御することにより、均質な混合気を生成することが可能となる。その結果、混合気の不均質が原因となるＮＯｘを低減させることができ、好適なエミッションを実現することができる。
【００５７】
ところで、上述した実施の形態３のシステムにおいては、実施の形態２で述べた図５に示す構成を併用することとしてもよい。なお、この点は以下の実施の形態でも同様である。
【００５８】
尚、上述した実施の形態３においては、ＥＣＵ５０が前記第５の発明における「噴射制御手段」に相当している。
【００５９】
実施の形態４．
次に、本発明の実施の形態４について説明する。本実施形態のシステムは、排気行程における排気バルブ４８及び吸気バルブ４４の閉弁時期が運転領域に応じて異なる点を除き、実施の形態１で述べた構成と同様である。
【００６０】
［実施の形態４における特徴的構成］
上述した実施の形態１のシステムでは、図４に示すように、吸気上死点よりも進角したタイミングＣＡ１２において、排気バルブ４８と吸気バルブ４４とが同時に閉じられる。これに対して、実施の形態４のシステムでは、運転領域が低負荷領域である場合には、排気行程において吸気バルブ４４が排気バルブ４８よりも先に閉じられる。また、高負荷領域である場合には、排気行程において吸気バルブ４４が排気バルブ４８よりも後に閉じられる。
【００６１】
このようなバルブ制御は、例えば、動弁機構６０が、排気行程における吸気バルブ４４の閉じ時期がＣＡ１２よりも進角したタイミングに設定された低負荷領域用のカムと、ＣＡ１２よりも遅角したタイミングに設定された高負荷領域用のカムとを備え、ＥＣＵ５０が、動弁機構６０に、運転領域に応じてカムを切り替える制御信号を出力することにより実現することができる。また、ＥＣＵ５０が、排気側の動弁機構６２に、排気バルブ４８のバルブタイミングを変更させる制御信号を出力することによっても実現することができる。
【００６２】
このように、本実施形態のシステムによれば、実施の形態１で述べた効果に加えて、ノッキングが発生し難い低負荷領域において、不活性である残留ガスを多く入れることができる。その結果、ＮＯｘの低減を図ることができる。一方、高負荷領域においては、十分な掃気が行われ、ノッキングを好適に抑制することができる。
【００６３】
尚、上述した実施の形態４においては、動弁機構６０、６２が前記第６の発明における「可変動弁手段」に、ＥＣＵ５０が前記第６の発明における「低負荷時バルブ制御手段」に、それぞれ相当している。
【００６４】
実施の形態５．
次に、図７を参照して本発明の実施の形態５について説明する。本実施形態のシステムは、燃料噴射時期が異なる点を除き、実施の形態４で述べた構成と同様である。
【００６５】
［実施の形態５における特徴的構成］
図７は、本発明の実施の形態５について、排気行程及び吸気行程における吸気バルブ４４及び排気バルブ４８の開閉時期と、燃料噴射時期とを説明するための図である。図７に示すバルブタイミングは、実施の形態４で述べた運転領域が低負荷領域である場合を示している。すなわち、吸気バルブ４４は、排気行程において排気バルブ４８よりも先に閉じられる。
【００６６】
さらに、本実施形態のシステムでは、運転領域が低負荷領域である場合に、燃焼室２０内に２回に分けて燃料が噴射される。具体的には、１回目の燃料噴射は、排気行程において吸気バルブ４４と排気バルブ４８とが閉じられてから吸気上死点までの間に行われる。２回目の燃料噴射は、吸気上死点から吸気バルブ４４を開くタイミングＣＡ１３までの間に行われる。
【００６７】
このように、本実施形態のシステムによれば、実施の形態４で述べたように、ノッキングが発生し難い低負荷領域において、不活性である残留ガスを多く入れることができる。さらに、１回目の燃料噴射は、吸気上死点よりも前に行われるため、高温の残留ガス内に燃料が噴射されることとなり、燃料改質効果が得られる。そのため、元来温度が低く燃焼が不安定な低負荷において、より安定した燃焼が得られる。
【００６８】
尚、上述した実施の形態５においては、ＥＣＵ５０が前記第７の発明における「低負荷時噴射制御手段」に相当している。
【００６９】
実施の形態６．
次に、図８、図９を参照して本発明の実施の形態６について説明する。本実施形態のシステムは、図１に示す構成を基本構成とし、図８、図９で説明する特徴的構成を備えることにより実現することができる。
【００７０】
［実施の形態６における特徴的構成］
図８は、本発明の実施の形態６に係るシステムが有する過給機３４、吸気バルブ４４、排気バルブ４８について説明するための図である。本実施形態のシステムにおける過給機３４は、排気ガスのエネルギーによって過給を行うターボチャージャである。このターボチャージャは、排気ガスのエネルギーによって回転するタービン３４ａと、このタービン３４ａに駆動されて回転するコンプレッサ３４ｂとを有している。
【００７１】
図８に示すように、吸気バルブ４４は、２つの吸気バルブ４４ａ、４４ｂからなる。吸気ポート４２は、吸気バルブ４４ａを開くことにより燃焼室２０と連通する吸気ポート４２ａと、吸気バルブ４４ｂを開くことにより燃焼室２０と連通する吸気ポート４２ｂとからなる。排気バルブ４８は、２つの排気バルブ４８ａ、４８ｂからなる。排気ポート４６は、排気バルブ４８ａを開くことにより燃焼室２０と連通する排気ポート４６ａと、排気バルブ４８ｂを開くことにより燃焼室２０と連通する排気ポート４６ｂとからなる。排気ポート４６ａ下流の排気通路２４には、タービン３４ａが設けられている。吸気ポート４２ａ、４２ｂ上流の吸気通路２２には、共通のコンプレッサ３４ｂが設けられている。以下、吸気ポート４２ａ、４２ｂを区別しない場合には単に吸気ポート４２という。
【００７２】
図９は、本発明の実施の形態６について、排気行程及び吸気行程における吸気バルブ４４及び排気バルブ４８の開閉時期と、燃料噴射時期とを説明するための図である。
【００７３】
（吸気バルブ４４及び排気バルブ４８の開閉時期）
本実施形態のシステムでは、図９に示すように、排気下死点近傍の時期ＣＡ２０において排気バルブ４８ａが開かれる。ＣＡ２０後のＣＡ２１において排気バルブ４８ａが閉じられる。また、ＣＡ２１において排気バルブ４８ｂと吸気バルブ４４とが開かれる。ＣＡ２１後のＣＡ２２において排気バルブ４８ｂが閉じられた後、吸気上死点よりも進角したタイミングＣＡ２３において吸気バルブ４４が閉られる。さらに、吸気上死点よりも遅角したタイミングＣＡ２４において吸気バルブ４４が開かれる。なお、ＣＡ２３とＣＡ２４とは、それぞれのクランク角における燃焼室２０の体積が同じとなるように設定されている。同体積とすることで、圧縮・膨張による仕事損失を防ぐことができる。
【００７４】
（燃料噴射時期）
また、本実施形態のシステムでは、吸気上死点から吸気バルブ４４を開くタイミングＣＡ２４までの間に、気筒１２内に燃料が噴射される。詳細には、吸気上死点後に燃料噴射が開始され、ＣＡ２４直前に燃料噴射が完了される。ＥＣＵ５０は、ＣＡ２４直前に燃料噴射が完了されるように燃料噴射弁２６に制御信号を出力する。
【００７５】
（作用・効果）
上述した本実施形態のシステムによれば、排気工程において、ＣＡ２０からＣＡ２１までの間、排気バルブ４８ａのみが開かれる。これにより、高温、高圧の排気ガスがタービン３４ａに供給される。そのため、コンプレッサ３４ｂを好適に駆動させることができる。また、タービン３４ａ側の排気バルブ４８ａのみが開かれるため、燃焼室２０内の圧力は高く、未燃ＨＣは、ピストン１４とシリンダライナ１９とピストンリング７０との隙間に保持される（図９）。
【００７６】
その後、ＣＡ２１において、排気バルブ４８ａが閉じられ、吸気バルブ４４と排気バルブ４８ｂとが開かれる。そのため、燃焼室２０内の圧力は低下し、未燃ＨＣは燃焼室２０内に放出される。未燃ＨＣの一部は、吸気ポート４２にも吹き出される。なお、排気バルブ４８ｂは、燃焼室２０内に放出された未燃ＨＣが完全に掃気されるより前（ＣＡ２２）に閉じられる。その後、吸気ポート４２に吹き出された未燃ＨＣは、吸気バルブ４４が閉じられる（ＣＡ２３）までの間に、燃焼室２０内に再び吹き戻される。そのため、未燃ＨＣを再び燃焼させることができる。このように、本実施形態のシステムによれば、エミッション改善と燃費改善とを図ることができる。また、実施の形態１と同様に、吸気上死点から吸気バルブ４４が開かれるＣＡ２５までの間に、燃料が噴射されるため、実施の形態１と同様の効果が得られる。
【００７７】
尚、上述した実施の形態６においては、過給機３４が前記第８の発明における「ターボ過給機」に、排気バルブ４８ａが前記第８の発明における「第１排気バルブ」に、排気バルブ４８ｂが前記第８の発明における「第２排気バルブ」に、排気ポート４６ａが前記第８の発明における「第１排気ポート」に、排気ポート４６ｂが前記第８の発明における「第２排気ポート」に、タービン３４ａが前記第８の発明における「タービン」に、動弁機構６０、６２及びＥＣＵ５０が前記第８の発明における「バルブ制御手段」に、それぞれ相当している。
【符号の説明】
【００７８】
１０  内燃機関
１２  気筒
１４  ピストン
１６  クランク角センサ
１８  シリンダヘッド
１９  シリンダライナ
２０  燃焼室
２２  吸気通路
２４  排気通路
２６  燃料噴射弁
２８  点火プラグ
３０  エアクリーナ
３２  エアフローメータ
３４  過給機
３４ａ  タービン
３４ｂ  コンプレッサ
３６  インタークーラ
３８  スロットルバルブ
４０  スロットル開度センサ
４２、４２ａ、４２ｂ  吸気ポート
４２ａ１、４２ａ２  通路
４４、４４ａ、４４ｂ  吸気バルブ
４６、４６ａ、４６ｂ  排気ポート
４８、４８ａ、４８ｂ  排気バルブ
５０  ＥＣＵ（Electronic Control Unit）
６０、６２  動弁機構
６４  吸気制御弁
７０  ピストンリング
【図１】
2012090320.tif 000003
【図２】
2012090320.tif 000004
【図３】
2012090320.tif 000005
【図４】
2012090320.tif 000006
【図５】
2012090320.tif 000007
【図６】
2012090320.tif 000008
【図７】
2012090320.tif 000009
【図８】
2012090320.tif 000010
【図９】
2012090320.tif 000011
【国際調査報告】
2012090320.tif 000012
2012090320.tif 000013
2012090320.tif 000014